Podtech/llm-jp-corpus-v4-ja_patent huggingface dataset:
(57)【要約】      （修正有）【課題】広告の情報媒体として有効的に利用できる菓子を提供する。【解決手段】煎餅やクッキー等の菓子１０の内部に空間を設け、該空間内に、広告、おみくじ、雑学、豆知識等が記載された紙片３０を封入してなる菓子。【効果】菓子の内部に、広告が記載された紙片が入れられることで、意外性により広告を印象深く伝えることができる。更に、広告とおみくじの両方を記載した紙片を入れることで、ゲーム性を有し、かつ、紙片のおみくじが読まれることによって、おみくじと一緒に記載される広告は印象深く伝えることができる。【選択図】図１
0003132732.tif 000002
【実用新案登録請求の範囲】
【請求項１】
菓子の内部空間内に、広告が記載された紙片を封入した菓子。
【請求項２】
菓子の内部空間内に、広告とおみくじとが記載された紙片を封入した菓子。
【考案の詳細な説明】
【技術分野】
【０００１】  本考案は、煎餅やクッキー等の菓子の技術分野に属し、詳しくは、広告やおみくじが記載された紙片入りのクッキー、煎餅等の菓子に関するものである。
【背景技術】
【０００２】  従来から、おみくじ付きのクッキー、又は、煎餅が販売されている。
【考案の開示】
【考案が解決しようとする課題】
【０００３】  しかしながら、従来から販売されているクッキーや煎餅等の菓子は、広告の情報媒体として有効的に利用されていなかった。
そこで、本考案は、上記のような事情に鑑みてなされたものであり、その目的とするところは、広告の情報媒体として有効的に利用できる菓子を提供することにある。
【課題を解決するための手段】
【０００４】  上記目的を達成するため、本考案の、広告記載紙片入り菓子は、菓子の内部に空間を設け、該空間内に、広告が記載された紙片を封入していることを特徴としている。
【考案の効果】
【０００５】  菓子の内部に、広告が記載された紙片が入れられていることで、意外性により広告を印象深く伝えることができる。
更に、広告とおみくじとの両方を記載した紙片を入れることで、菓子を選択するというゲーム性を有し、かつ、紙片のおみくじが読まれることによって、おみくじと一緒に記載される広告は印象深く伝えることができる。
【考案を実施するための最良の形態】
【０００６】  本考案の広告記載紙片入り菓子は、広告やおみくじを記載した紙片が菓子の内部に封入されている。【０００７】  以下、図面を参照して本考案の実施の形態を説明する。【０００８】  図１は、本考案に係る広告記載紙片入り菓子を示す斜視図であり、図２は、図１のＡ−Ａ断面図であり、菓子本体１０、菓子本体に形成された内部空間部２０、広告が記載された紙片３０とからなる。【０００９】  菓子本体１０は煎餅やクッキー等であり、図２に示すように、菓子本体の内部には内部空間部２０が形成ており、該内部空間部に、広告やおみくじ等を記載した紙片が封入されている。【００１０】  ここで、上記紙片には、他にも雑学、豆知識等を自由に選択して記載できる。【００１１】  これにより、菓子の内部の紙片に記載された広告を目にした時の意外性で広告を印象深く伝えることが出来る。
更に、広告とおみくじとの両方を記載した紙片を入れることで、菓子を選択するというゲーム性を有し、かつ、紙片のおみくじが読まれることによって、おみくじと一緒に記載される広告を印象深く伝えることができる。
そして、本考案の広告記載紙片入り菓子は、イベントの来場記念品、景品、啓発グッズ、記念行事の記念品、年末年始のご挨拶など企業様のノベルティグッズ、あいさつ回りの粗品、結婚式の引出物等として使える。【００１２】  以上、本考案の実施の形態について詳細に説明してきたが、本考案による広告記載紙片入り菓子は、上記実施の形態に何ら限定されるものではなく、本考案の趣旨を逸脱しない範囲において種々の変更が可能であることは当然のことである。
【図面の簡単な説明】
【００１３】
【図１】本考案に係る広告記載紙片入り菓子の斜視図である。
【図２】図１のＡ−Ａ断面図である。
【符号の説明】
【００１４】  １０  菓子本体
２０  内部空間部
３０  紙片
【図１】
0003132732.tif 000003
【図２】
0003132732.tif 000004
(57)【要約】      （修正有）【課題】風呂場や湿気の多い場所などで使う機械的構造・電気的構造をもたないで座席の高さを調節できる安価で簡便な構造の椅子を提供する。【解決手段】圧縮空気を含むエアー（空気）で蛇腹を膨らませ座席の高さを調整できるエアー蛇腹椅子は、風呂場を含む湿気の多い場所を含めどこでも使える椅子です。【選択図】図３
0003132731.tif 000002
【実用新案登録請求の範囲】
【請求項１】
椅子本体と蛇腹を組み合わせて、圧縮空気を含むエアー（空気）で蛇腹の各層を膨らませ座席の高さを調整できるようにした椅子の構造。
【考案の詳細な説明】
【技術分野】
【０００１】  本考案は、椅子本体と蛇腹を組み合わせ、圧縮空気を含むエアー（空気）で蛇腹の各層を膨らませて座席の高さを調整できるようにした椅子の構造に関するものである。
【背景技術】
【０００２】  木製、金属製を問わず、座席の高さを調節できる椅子の構造は金属を用いた機械的構造か電気的構造のものです。風呂場を含む湿気の多い場所での機械的構造の使用では錆やグリス・オイルなどの問題があり、電気的構造では危険が伴い一般的には使用不向きでした。防湿・防水加工には高価となり、安価で簡便な考案が求められます。
【考案の開示】
【考案が解決しようとする課題】
【０００３】  風呂場や湿気の多い場所などで使う機械的構造・電気的構造をもたないで座席の高さを調節できる安価で簡便な構造の考案が求められます。
【課題を解決するための手段】
【０００４】  本考案は次の課題を掲げ、考案した。
（１）風呂場などでも使えるように腐食しない素材で、機械的構造、電気的構造でないもの。
（２）障害を持つ者や高齢者。介護する人や付添い人など誰でもどこでも利用できるように安価で簡便な構造であること。
以上の点から機械的構造、電気的構造を持たない、腐食しない素材で出来る、椅子本体と蛇腹を組み合わせ、圧縮空気を含むエアー（空気）を利用して座席の高さを調整できる、考案の名称のとおりエアー蛇腹椅子を考案しました。
【考案の効果】
【０００５】  風呂場を含む湿気の多い場所での使用というだけにとどまらす、利用場所によっては金属・木製に関わりなく座席の高さを簡便に調節できる椅子として利用できます。
【考案を実施するための最良の形態】
【０００６】  考案を図に基づいて説明すると、図１  Ａ、Ｂ、Ｃとも椅子本体の基本形態の側面図です。Ａ、Ｂ、Ｃとも座席▲１▼は上下に動き、底部▲２▼は床面で固定されます。図２はＤ、Ｅとも蛇腹の形態側面図です。蛇腹は層に分けて作り、各層毎にエアー挿入・排気口▲３▼を取り付け、上下には硬質板▲４▼を取りつけます。図１  椅子本体の基本形態Ａ、Ｂ、Ｃの座席▲１▼と底部▲２▼の間に蛇腹を組み込みます。蛇腹の各層にエアーを挿入すると、座席▲１▼が動き座席の高を変えることが出来ます。
【実施例】
【０００７】  椅子のデザイン、背もたれの形態・強度などは創作自由です。蛇腹へのエアーの取り入れは使用目的、用途によって替えられ、ビニールプールなどに使うフットポンプ、自転車用の空気入れ・高圧ポンプ、コンプレッサー、ボンベに充填された圧縮空気など利用出来ます。また、蛇腹に取り付けるエアーホースの長さで使用者自身での操作や介護者や付添人による操作などが可能です。
【産業上の利用可能性】
【０００８】  風呂場や湿気の多い場所などでの使用にとどまらず、簡便な操作から、高齢化社会の介護の現場などで広く利用され、この考案が社会的貢献となる可能性を確信します。
【図面の簡単な説明】
【０００９】
【図１】  椅子本体の基本形態Ａ，Ｂ，Ｃ側面図
【図２】  蛇腹の形態Ｄ，Ｅ側面図
【図３】  椅子本体と蛇腹の組み立て立体図
【符号の説明】
【００１０】  Ａ、Ｂ、Ｃ  椅子本体の形態
Ｄ、Ｅ  蛇腹の形態
▲１▼  座席
▲２▼  底部
▲３▼  エアー挿入口・排気口
▲４▼  硬質板
【図１】
0003132731.tif 000003
【図２】
0003132731.tif 000004
【図３】
0003132731.tif 000005
(57)【要約】【課題】従来から使用されている耳観察用の器具類では詳細に観察するためには別に拡大鏡や顕微鏡を用いる必要があり、また観察しつつ同時に治療を施すという事は困難であるため、治療を施すには二度手間、三度手間が必要であった。【解決手段】拡張部を有する鉗子のグリップ部内側に、屈伸可能に設けたアームを取付け、その先端に一部を半円状に切り欠き、治療具の挿入を可能に設けた拡大レンズを回動旋回自在に装着する。【選択図】図１
0003132736.tif 000002
【実用新案登録請求の範囲】
【請求項１】
拡張部を有する鉗子のグリップ部に屈伸自在に設けたアームを取付け、当該アームの先端に、切り欠き部を設けて治療具の挿入を可能に形成した拡大レンズを回動旋回自在に装着した事を特長とする、耳用観察処置装置。
【請求項２】
回動及び固定自在に設けたアームを軸着し、屈伸自在に設けたレンズアーム先端に拡大レンズを回動旋回自在に装着した事を特長とする、請求項１記載の耳用観察処置装置。
【請求項３】
フレキシブル軸で形成したフレキシブルアームを取付け、当該アームの先端に拡大レンズを回動旋回自在に装着した事を特長とする、請求項１記載の耳用観察処置装置。
【考案の詳細な説明】
【技術分野】
【０００１】  本考案は主に医療用に使用される耳用観察処置装置に関するものである。【０００２】  詳細には耳鼻科等で用いられ、拡大レンズで耳内の診察を行うと同時に治療も可能な軽便な耳用観察処置装置に関するものである。
【背景技術】
【０００３】  従来耳鼻科等で用いられてきた耳道内の診察用に用いる耳鏡は、観察用で単にラッパ型のチューブ様のものが使用されている。
【考案の開示】
【０００４】  本考案は先端開閉型の既成鼻鏡に折りたたみ式のアームを取付け、当該アームの先端部に一部を切り欠いた拡大レンズを装着したことを特長とする。
【考案が解決しようとする課題】
【０００５】  従来から使用されている耳鏡など耳道観察用の器具類では、単純に耳道の中を覗き易くしただけのものであり、詳細に観察するためには別に拡大鏡や顕微鏡を用いる必要があった。
【０００６】  このため観察し診断を下す事は可能であるが、従来の耳鏡等を用いるだけでは観察しつつ同時に処置して治療を施すという事は困難であるため、特に訪問診察時などで疾病を発見した場合に於いては後日通院する必要があり、その時に院内の器具を用いて治療を施すという二度手間、三度手間を必要としていた。
【０００７】  手間や時間の無駄を省くために訪問先で治療を施すには、院内で使用する器具に匹敵するだけの機材を持参して訪問診療に望まなければならず、機動性も低く必要とする経費も高額に及んでいた。
【課題を解決するための手段】
【０００８】  上述した課題を解決するために、本考案では下記のごとくの構成としている。
【０００９】  軸を中心として開閉可能に設けてある鉗子のハンドル部に、先端に拡大レンズを装着したアームを屈伸自在に取付ける。
【００１０】  アーム先端に装着したレンズの一部を半円形に切り欠いてある。
【考案の効果】
【００１１】  本考案に於ける耳用観察処置装置は、鉗子に拡大レンズを取付けた事により簡単に耳患部を拡大して観察する事が出来る。
【００１２】  耳患部を拡大観察しながら、レンズの切り欠き部から治療器具を挿入して治療する事が可能である。
【００１３】  軽便な装置ひとつで拡大観察でき、同時の治療が可能なので往診や訪問診療に非常に便利である。
【００１４】  片手で拡大と患部の確認が可能であり、その状態で治療用具を挿入可能であるため、患部を確認したその場で治療が出来るので疾病への対応が迅速である。
【考案を実施するための最良の形態】
【００１５】  鉗子のハンドル部内側に、屈伸可能に設けたアームを取付け、その先端に拡大レンズを回動旋回自在に装着する。【００１６】  当該レンズは一部を半円状に切り欠き、治療具の挿入を可能に設けてある。
【実施例】
【００１７】  以下本考案の実施例について図面を元に説明すると、図１は本考案の斜視図、図２は平面図、図３は側面図である。【００１８】  開閉軸１で開閉自在に設けてある鉗子２のグリップ部３の内側に、回動及び固定自在に設けたアーム元部４を軸５で取付ける。【００１９】  当該アーム元部４の先端にはアーム先部６を軸着して屈伸自在に設けたレンズアーム７を形成する。【００２０】  上記レンズアーム７の先端には、レンズ８の右側部を半円状に切り欠き、治療具を差し込み可能に設けた切り欠き部９を有する拡大レンズ１０を装着する。【００２１】  当該拡大レンズ１０は自在金具１１により回動旋回自在にレンズアーム７に取り付けてある。【００２２】  レンズアーム７は矢印Ａ−Ａ’方向に屈伸可能に形成してある。【００２３】  上記鉗子２の先端には拡張部１２を形成してある。【００２４】  図４は実施例２を示す斜視図である。【００２５】  軸１３により鉗子１４のグリップ部１５内側に回動固定可能にフレキシブル軸を軸着し、フレキシブルアーム１６を形成する。【００２６】  当該フレキシブルアーム１６の先端に、レンズ１７の右側部を半円状に切り欠き、治療具を差し込み可能に設けた切り欠き部１８を有する拡大レンズ１９を装着したものである。【００２７】  上記鉗子１４の先端には拡張部２０を形成してある。
【産業上の利用可能性】
【００２８】  本考案に於ける耳用観察処置装置を用いる事で、診察時に異常が見つかった場合その場で治療を施すことが可能であり、迅速な対応が出来る。【００２９】  訪問診療などの場合でも携帯自在で、且つその場での治療も出来る装置なので医療の向上に役立つものである。【００３０】  本装置を鼻の診察に用いれば、鼻腔内の観察や診断及び治療などを行う事が出来る。【００３１】使用しないときはレンズアームを折りたたむ事によりコンパクトに収納可能である。【００３２】  本考案は上述のように耳鼻科での医療に利用可能で、特に訪問治療の際の携行に便利且つ有益であり、多くの専門機関で使用可能な治療装置を提供する事が可能である。
【図面の簡単な説明】
【００３３】
【図１】    本考案の斜視図
【図２】    本考案の平面図
【図３】    本考案の側面図
【図４】    実施例２の斜視図
【符号の説明】
【００３４】１          開閉軸
２          鉗子
３          グリップ部
４          アーム元部
５          軸
６          アーム先部
７          レンズアーム
８          レンズ
９          切り欠き部
１０        拡大レンズ
１１        自在金具
１２        拡張部
１３        軸
１４        鉗子
１５        グリップ部
１６        フレキシブルアーム
１７        レンズ
１８        切り欠き部
１９        拡大レンズ
２０        拡張部
【図１】
0003132736.tif 000003
【図２】
0003132736.tif 000004
【図３】
0003132736.tif 000005
【図４】
0003132736.tif 000006
(57)【要約】【課題】  スリッパを履く際、前からでも後ろからでも履いたり脱いだりできるようにする。【解決手段】  適度な復元力を有する弾力性柔軟素材をもって、スリッパの前方甲部１及び後方甲部２を設け、且つ足挿入用空間部５を備えると共に、切込み部３を設けてなる。【選択図】図１
0003132739.tif 000002
【実用新案登録請求の範囲】
【請求項１】
適度の復元力を有する弾性柔軟素材をもって、スリッパ底板６の両端に前方甲部１及び後方甲部２を設け、且つ足挿入用空間部５を備えると共に、切込み部３を設けてなるスリッパ。
【考案の詳細な説明】
【技術分野】
【０００１】  本考案は、スリッパに関する。
【従来技術】
【０００２】  従来スリッパは、底板の上部の一端に足挿入用甲部を設けてなるのが一般的である。
【考案が解決しようとする課題】
【０００３】  上記スリッパは、一般家庭の玄関口やトイレなどの出入口を初め、人の多く集うホテルや集会所、病院などで軽便な履物として愛用されている。
又、多くの人が共用する場合と、個人専用の場合がある。何れにしても、スリッパを脱いだあと、再び履く時には体を反転させたり、かがみこんで手で揃え直さねばならない。又、当初からスリッパの向きが反対であった場合も同様な動作をしなければならない。時間と手間と労力を要するし面倒なことである。
【０００４】  そこで本考案は、上述のようないちいち体を反転させたり、かがみこんで手で揃え直しをしたりする手間をなくしたユニ−クな新規スリッパを提供するものである。
【考案の実施の形態・実施例】
【０００５】  従来のスリッパは、底板の上部の一端に甲部が設けられていて、これに足を挿入するだけで歩行できるようになっている。
【０００６】  従って、一方の片側からしか足を挿入することができない。前述のように、脱いだスリッパを再び履きなおす場合に、体を反転させるかスリッパの向きを反転させるかの、どちらかの動作や手間を強いられる。
【０００７】  本考案スリッパでは、底板６に設ける甲部を一端部のみでなく、両端部に設けてなるものである。即ち、前後に同じ甲部を設け、且つ中央部に足挿入用空間部５を設けてある。
このスリッパを履く時は、前方甲部１又は後方甲部２を踏み潰すような要領で履くものである。該甲部は、弾力性柔軟素材を用いてあるので、履いた時の体重で簡単に押圧され且つ従来通り歩行できる。又これを脱げば、体重がなくなりその弾力性復元力によって直ちに元の状態に戻る。なお、切込み部３はこの動きをスム−ズに補助するものである。又、前記弾力性柔軟素材としてポリプロピレンや合成ゴム素材などを重合した布製品を用いるのが好ましい。
【考案の効果】
【０００８】  上述のように本考案は、スリッパを頻繁に履いたり脱いだりする時に、いちいちその方向を気にすることなく、どちらからでも履くことができるので、手間や時間と労力を著しく軽減する極めて便利重宝な有益スリッパである。
【図面の簡単な説明】
【０００９】
【図１】    本考案の全体斜視図。
【図２】    本考案の履く状態を示す側面図（一部透視図）
【符号の説明】
【００１０】    １    前方甲部
２    後方甲部
３    切込み部
４    足
５    足挿入用空間部
６    底板
【図１】
0003132739.tif 000003
【図２】
0003132739.tif 000004
(57)【要約】      （修正有）【課題】シートベルト着用時の圧迫感と苦痛感を減らし、シートベルト自体が強固な素材であるための衣類への擦れを防止する。【解決手段】堅い素材を使用しない構造であり、帯をモチーフとし、結んで固定する特徴である二つ折りのシートベルトクッションカバーに滑り止め効果とブレーキなどの衝撃時のシートベルトとの接点が高い鎖骨部分にクッションを取り入れた特徴を加えた帯付きシートベルトクッションカバーである。【選択図】図１
0003132060.tif 000002
【実用新案登録請求の範囲】
【請求項１】
シートベルトカバーの両側面に複数本づつの帯を結んで固定するようにした帯付きシートベルトクッションカバー。
【請求項２】
シートベルトカバーの両側面に固定する帯が５本づつであることを特徴とする請求項１記載の帯付きシートベルトクッションカバー。
【考案の詳細な説明】
【技術分野】
【０００１】
本考案によるシートベルトカバー本体は、摩擦による衣類の擦れを防ぐものである。
シートベルトカバーの滑り止めと身体への圧迫感と苦痛感を軽減させるためシートベルトカバーの中心部分に方形のクッションを布製シートベルトカバーに取り入れたものである。シートベルトの負荷が大きい鎖骨部分との接触部分にシートベルトカバーを取り付けたものである。硬い素材を使用しない、結んで固定する両側面に５本づつの帯付きでファッション性を考慮したリバーシブルタイプのシートベルトカバーである。
【背景技術】
【０００２】
シートベルトは、着用者がブレーキなどによる衝撃でシートから飛び出さないように保護する強固なものであるため、薄着時の身体に受ける圧迫感や苦痛に問題がある。
シートベルトは引張り強度を有し、表面は摩擦に対して極めて強い構成になっているため、衣類との擦れを発生させる問題がある。
従来技術としては、実開昭６３−１４９３５０号公報で提案されているようにマジックテープ（登録商標）で固定する方法がある。
【特許文献１】実開昭６３−１４９３５０号公報
【考案の開示】
【考案が解決しようとする課題】
【０００３】
解決しようとする問題点は、シートベルト自体が強固な素材であるため、シートベルト着用時に圧迫感と苦痛感がある。現在、存在しているシートベルトカバーはマジックテープ（登録商標）で固定する方法があるが、マジックテープ（登録商標）では、該マジックテープ（登録商標）が衣類に引っ掛かるという不具合が発生する。
【課題を解決するための手段】
【０００４】
シートベルトの圧迫感と苦痛感を軽減させるために、シートベルトカバーの両側面に複数本づつの帯を結んで固定するようにした帯付きシートベルトクッションカバーである。
また、上記シートベルトカバーの両側面に固定する帯を５本づつにしたことを特徴とする帯付きシートベルトクッションカバーである。
【考案の効果】
【０００５】
帯付きシートベルトクッションカバー本体は、摩擦による衣類の擦れを防ぐものである。
帯付きシートベルトクッションカバーは、複数の帯で縛ることにより該カバーがジャバラ状になり、滑り止めになるとともに、クッションとして作用し身体への圧迫感と苦痛感を軽減させるものである。
また、帯を結んで固定することにより美観を向上させるとともに、ファッション性を考慮したリバーシブルタイプのシートベルトクッションカバーを提供できるようになった。
【考案を実施するための最良の形態】
【０００６】
図１は本考案による帯付きシートベルトクッションカバーを示す平面図である。図２は図１中のＡ−Ａ線における断面図である。図３は図１の展開正面図である。
同図において、Ｉはシートベルトクッションカバー本体で、該シートベルトクッションカバー本体Ｉの材料は、表裏に異なる素材を用いたものである。具体的な素材は、綿と化学合繊から成り立っている。IIは結んで固定する帯で、該帯IIはシートベルトクッションカバー本体Ｉの両側面に複数本固定されている。IIIは該シートベルトクッションカバー本体Ｉの略中央に取り付けてあるクッションであり、衝撃時のシートベルトとの接点が高い鎖骨部分と胸部などの接触部分をサポートするものであり、内側のクッションIIIはシートベルトと帯付きシートベルトクッションカバーとの滑り止めとなる。
なお、シートベルトクッションカバー本体Ｉの両側面に固定する帯IIは、本実施例では５本づつであるものを示したが、これに限定するものではなく何本でも良い。好ましくは、同実施例の５本づつが最適である。
【０００７】
図４は該シートベルトクッションカバー本体Ｉの着用状態を示す正面図である。同図のとおり、図２のように折り曲げてシートベルトを挟み込み、シートベルトクッションカバー本体Ｉ両側面の帯II，II同士を結んで固定する。IVは、その結び目である。該シートベルトクッションカバー本体Ｉのリバーシブル時も同様である。
近年、車内のシートや癒される室内形態が豊かになる現在においてファッション性と癒し感覚も適用できる。着用者好みの柄でシートベルトの着用率向上に役立たせた車社会への貢献と考える。
【図面の簡単な説明】
【０００８】
【図１】本考案による帯付きシートベルトクッションカバーの正面図である。
【図２】図１中のＡ−Ａ線における帯付きシートベルトクッションカバーの断面図である。
【図３】本考案による帯付きシートベルトクッションカバーの展開正面図である。
【図４】本考案による帯付きシートベルトクッションカバーの着用状態を示す正面図である。
【符号の説明】
【０００９】
Ｉ    シートベルトクッションカバー本体
II    帯
III    クッション
IV    結び目
【図１】
0003132060.tif 000003
【図２】
0003132060.tif 000004
【図３】
0003132060.tif 000005
【図４】
0003132060.tif 000006
(57)【要約】【課題】フィット性と着脱性を両立させた施術用手袋を提案する。【解決手段】手の中手指節関節部位のみを包被するように終端した包被部２と、該包被部２からそれぞれ突き出た五本の指部３〜７と、包被部２の開口縁２ａの縁取り加工部と、を含んで構成されることを特徴とする。手の中手指節関節部位を包被して中手骨相当部位で終端することで、五本の指だけを包被するような形態になっているので、手首まで包被するよう作成された従来品の施術用手袋に比べて、格段に着脱しやすい。【選択図】図１
0003132008.tif 000002
【実用新案登録請求の範囲】
【請求項１】
中手骨相当部位で終端し、開口縁を縁取り加工してあることを特徴とする施術用手袋。
【請求項２】
手の中手指節関節部位のみを包被するように終端した包被部と、
該包被部からそれぞれ突き出た五本の指部と、
前記包被部の開口縁の縁取り加工部と、
を含んで構成されることを特徴とする施術用手袋。
【請求項３】
五本の指サックの各開口縁部を連続させて、中手指節関節相当部位を包被する包被部を一体形成すると共に、該包被部の開口縁を縁取り加工したことを特徴とする施術用手袋。
【考案の詳細な説明】
【技術分野】
【０００１】
本考案は、特に鍼灸師がその施術にあたって使用する手袋に関する。
【背景技術】
【０００２】
鍼灸師等が患者への施術にあたって使用する感染防止用の施術用手袋は、外科手術で使用されるのと同種のもので、樹脂製で薄く伸長性に優れ、術者の手にぴったりフィットするようになっている。ところが、この手袋は患者ごとに新しいものに取り替える必要があり、頻繁に着脱しなければならないが、そのフィット性のために、着脱しやすいとは言えないものとなっている。
【０００３】
鍼灸師の場合、施術で患者に触れるのは手の指だけであり、手全体を覆う必要はない。そこで、フィット性の高い指サックを使用することも考えられるが、指サックでは各指に一本一本着脱しなければならないので、余計に着脱しにくくなってしまう。これを解決するために、特許文献１のような指サックを使用することも考えられる。
【特許文献１】特開２００３−０１９０２２号
【考案の開示】
【考案が解決しようとする課題】
【０００４】
特許文献１の指サックは、人差し指用から小指用までを一つなぎにした本体指サックと親指用の指サックとをひもでつないだ構成としている。しかし、この指サックでは、人差し指から小指までが一つなぎにされているため、各指を開くことができなくなり、施術に支障をきたす。また、人差し指用から小指用までの指サックが一つなぎになっているため、薄くてフィット性の高い材質にすると、非常に着脱しにくくなってしまう。
【０００５】
本考案は、このような技術背景に基づくもので、フィット性と着脱性を両立させた施術用手袋を提案するものである。
【課題を解決するための手段】
【０００６】
本考案による施術用手袋は、中手骨相当部位で終端し、開口縁を縁取り加工してあることを特徴とする。
【０００７】
また、本考案による施術用手袋は、手の中手指節関節部位のみを包被するように終端した包被部と、該包被部からそれぞれ突き出た五本の指部と、前記包被部の開口縁の縁取り加工部と、を含んで構成されることを特徴とする。
【０００８】
あるいは、本考案による施術用手袋は、五本の指サックの各開口縁部を連続させて、中手指節関節相当部位を包被する包被部を一体形成すると共に、該包被部の開口縁を縁取り加工したことを特徴とする。
【考案の効果】
【０００９】
本考案の施術用手袋によれば、手の中手指節関節部位を包被して中手骨相当部位で終端することで、五本の指だけを包被するような形態になっているので、手首まで包被するよう作成された従来品の施術用手袋に比べて、格段に着脱しやすい。あるいは、包被部により五本の指サックが基端だけで一体となっているので、各指を自由に動かすことができ且つ五本の指サックを手袋と同じように一度に着脱できる。さらに、開口縁に縁取り加工を施して型くずれを防止しているので、着脱時につまみやすくなっている。したがって、フィット性を犠牲にすることなく着脱性を向上させた施術用手袋が提供される。
【考案を実施するための最良の形態】
【００１０】
図１に、本考案に係る施術用手袋の実施形態を示す。
【００１１】
施術用手袋１は、手首から先までを包被するようにしてあった従来品の手袋に対し、中手骨相当部位で終端させ、手の平及び甲の大部分を露出させるようにした形態を有する。すなわち、手の中手指節関節部位のみ（その辺りという程度でよい）を包被するように終端した包被部２と、該包被部２からそれぞれ突き出た五本の指部３，４，５，６，７と、を含んで構成されている。これにより、五本の指サック（３，４，５，６，７）の各開口縁部を連続させて、中手指節関節相当部位を包被する包被部２を一体形成した形状となっている。
【００１２】
材質は薄い樹脂製で伸縮性に富むものとされ、外科手袋のようにフィット性が高く鍼等を持って施術しやすい手袋となっている。その各指部３，４，５，６，７は基端でつながっているだけなので自由に動かすことができる一方、一体化されているので全指部３，４，５，６，７を一括して着脱できる。
【００１３】
この施術用手袋１の開口縁、すなわち包被部２の開口縁２ａには、縁取り加工を施してある。当該縁取り加工は、包被部２の端を折り返してまつり縫いやかがり縫いを施したもので、開口縁２ａが丸まってめくれ上がったりしないようにし、且つ着脱にあたって包被部２の端をつまみやすいものとしている。つまみとしての機能を優先させるのであれば、当該縁取り加工部にゴム輪を内装するようにした形態とすることも可能である。あるいは、別色の布製輪を縫い込んで目立つようにしてもよい。施術用手袋１は半透明なので、机の上などで意外と見えにくいため、色の異なる布製輪を縫い込んでおくと目印になる。
【図面の簡単な説明】
【００１４】
【図１】本考案に係る施術用手袋の実施形態を示した平面図。
【符号の説明】
【００１５】
１  施術用手袋
２  包被部
２ａ  開口縁
３，４，５，６，７  指部
【図１】
0003132008.tif 000003
(57)【要約】【課題】空力性能を向上させる流線型のホイールアーチ・エアー・スプリッターを提供する。【解決手段】本考案は車体のホイールハウスを構成するフェンダーパネルのホイールアーチ上端部に車体に対し平行となるようにホイールアーチ・エアー・スプリッターに設けられた取り付け金具と、フェンダーパネルのホイールアーチ折返し部を特製された強力クリップで挟み込み取付ける。それにより走行時、車輪の回転により発生する乱気流が車体に沿って後方に流れる整気流と干渉することを緩和し、後方の空気の渦を減少させ、空気抵抗を軽減し空力性能を向上させる。【選択図】図１
0003132090.tif 000002
【実用新案登録請求の範囲】
【請求項１】
車体のホイールハウスを構成するフェンダーパネルのホイールアーチ上端部に車体に対して平行となるように取付け、走行時、車輪の回転によりホイールハウスから発生する乱気流と、車体に沿って後方に流れる整気流との干渉を抑制し、後方の空気の渦を減少させ、空気抵抗を軽減し空力性能を向上させることを特徴とする流線型のホイールアーチ・エアー・スプリッター。
【考案の詳細な説明】
【技術分野】
【０００１】
本考案は、車体のホイールハウスを構成するフェンダーパネルのホイールアーチ上端部に車体に対して平行となるように取付ける流線型のホイールアーチ・エアー・スプリッターに関する。
【背景技術】
【０００２】
近年、地球環境対策として、自動車には省エネルギー対策が急がれ、様々な対処が施される中、車体の空気抵抗についても着目されている。そのため、車体デザインは空気抵抗を大いに意識したデザインとなっている。
【考案の開示】
【考案が解決しようとする課題】
【０００３】
しかしながら、依然として走行時の車輪の回転により発生する乱気流対策はなされていない。車輪の回転により発生する乱気流は、雨天時のドア又はサイドウインドウの汚れ具合からも推察されるように、車体側面に溢れ出し、車体に沿って後方へ流れる整気流に無造作に干渉している。それにより車輪後方に渦をつくり、空気抵抗を生み出している。そこで本考案はかかる従来の課題に鑑みてなされたものであり、空力性能を向上させるホイールアーチ・エアー・スプリッターを提供することを目的とする。
【課題を解決するための手段】
【０００４】
以上の課題を解決するために、本考案は、車体のホイールハウスを構成するフェンダーパネルのホイールアーチ上端部に車体に対して平行となるように取付け、走行時、車輪の回転により発生する乱気流が車体に沿って後方に流れる整気流と干渉することを緩和し、後方の空気の渦を減少させ、空気抵抗を軽減し空力性能を向上させることを特徴とする流線型のホイールアーチ・エアー・スプリッターである。
【考案の効果】
【０００５】
本考案の実施において、下記の効果を奏する。
イ、走行時、車輪の回転によりホイールハウスより発生する乱気流が、車体に沿って後方    へ流れる整気流と干渉することを緩和し、後方の空気の渦を減少させ、空気抵抗を軽    減し空力性能を向上させる。
ロ、車体のフェンダー部を保護する。
ハ、表面をメッキ処理された車体側面の高級アクセントとして美観性を増加する。
ニ、回転する車輪への歩行者又はその衣類その他持ち物、およびそれ以外の物の巻き込み    を低減する。
【考案を実施するための最良の形態】
【０００６】
車体のホイールハウスを構成するフェンダーパネルのホイールアーチ上端部に、車体に対して平行となるように、ホイールアーチ・エアー・スプリッターに設けられた取り付け金具とフェンダーパネルのホイールアーチ折返し部を、特製された強力クリップで挟み込み取付ける。
【実施例】
【０００７】
以下、添付図面に従って一実施例を説明する。
図１は本考案の一実施の形態を示すホイールアーチ・エアー・スプリッター１を備えた車体４を示す概略側面図である。車体形状に合わせて成形されたホイールアーチ・エアー・スプリッター１は車体４のホイールハウス５を構成しているフェンダーパネル６のホイールアーチ７上端部に車体に対して平行となるように取付けられる。
【０００８】
図２はホイールアーチ・エアー・スプリッター１の三面図である。ホイールアーチ・エアー・スプリッター１の形状は流線型の空気抵抗の少ない形状で構成されている。さらに対物、対人のような、対外的な接触において、安全性の高い滑らかな形状となっている。ホイールアーチ・エアー・スプリッター１は取り付け金具１ａと車体との接着面１ｂを備える。
【０００９】
図３は図１のＰ−Ｐ線に沿う断面図である。ホイールアーチ・エアー・スプリッター１に設けられた取り付け金具１ａとフェンダーパネルのホイールアーチ折返し部９を特製された強力クリップ２で挟み込み取付ける。さらにホイールアーチ・エアー・スプリッター１の両端に設けられた車体との接着面１ｂに粘着テープ等を用いて、固定強度を高める。
【００１０】
ホイールアーチ・エアー・スプリッター１と車体４との隙間が出来ないように、ホイールアーチ・エアー・スプリッター１の車体に接する端面はゴム製のＵ字型トリミングモール３で覆われている。また車体に傷が付かない効果も備える。
【００１１】
強力クリップ２、車体との接着面１ｂの粘着テープ等による取付け方法では、車体に穴をあける必要なく、取付けが簡略化され、車体に傷をつけることなく素早く取付けることが出来る。
【００１２】
従来、走行時には、図４に示すように、車輪の回転によりホイールハウス５内で発生する乱気流Ａが車体５を沿って後方に流れる整気流Ｂに干渉していたが、かかる構成においては図５に示すように乱気流Ａ´が整気流Ｂ´に干渉することを緩和し、スムーズに後方に流れていくことを促進する。よって空気抵抗を軽減し、空力性能を向上させることが出来る。
【図面の簡単な説明】
【００１３】
【図１】本考案の一実施の形態を示すホイールアーチ・エアー・スプリッターを備えた車体を示す概略側面図である。
【図２】ホイールアーチ・エアー・スプリッターの三面図である。
【図３】図１の点Ｐ−Ｐに沿う断面図である。
【図４】ホイールアーチ・エアー・スプリッターの取り付け前の走行時におけるホイールハウス内で発生した乱気流の流れと、車体を沿って流れる整気流の流れを示す模式図である。
【図５】ホイールアーチ・エアー・スプリッターの取り付け後の走行時におけるホイールハウス内で発生した乱気流の流れと、車体を沿って流れる整気流の流れを示す模式図である。
【符号の説明】
【００１４】
1、ホイールアーチ・エアー・スプリッター
１ａ、取り付け金具
１ｂ、車体への接着面
２、強力クリップ
３、Ｕ字型トリミングモール
４、車体
５、ホイールハウス
６、フェンダーパネル
７、ホイールアーチ
８、車輪
９、フェンダーパネルのホイールアーチ折り返し部
【図１】
0003132090.tif 000003
【図２】
0003132090.tif 000004
【図３】
0003132090.tif 000005
【図４】
0003132090.tif 000006
【図５】
0003132090.tif 000007
(57)【要約】      （修正有）【課題】石膏ボード等の壁の裏側にある下地に関係なく、ハンマーだけで取り付けられる重量物を石膏ボード壁等に固定する取り付け金具を提供する。【解決手段】ピンを通す為の下穴のあいた、複数の取り付け金具を石膏ボードの壁に固定する重量物の上部壁側にビスで取り付け、複数の門型の平ピンを斜め下向きに打ち、石膏ボード自体で荷重を負担することで、下地に関係なくどこでも石膏ボード等の壁に重量物が取り付けられる。また、取り外し後も小さいピンの穴しか残らない。【選択図】図２
0003132092.tif 000002
【実用新案登録請求の範囲】
【請求項１】
重量のある物を石膏ボード等の比較的強度のない壁材に、石膏ボード等の裏側の下地の有無に関係なく石膏ボード等その物に強固に固定できる、重量物の上部壁側に取り付ける、鋼鉄等で充分に焼入れされ強度を持つ門型の平ピンを斜め４０度から７０度程度の角度で、下向きに打ち込めるピンの為のガイド穴と重量物に固定する為にL型の形をした金具の上部と壁側にビス穴のあいた、大荷重に耐えられることを特徴とする重量物を石膏ボード壁等に固定する取り付け金具。
【考案の詳細な説明】
【技術分野】
【０００１】
この考案は、石膏ボード等の壁面に、重量物をハンマーで金具に門型平ピンを通して打ち込み、強固に取り付けできる、重量物を石膏ボード壁等に固定する取り付け金具に関するものである。
【背景技術】
【０００２】
従来は、石膏ボード等の壁に重量物を取り付ける場合は、図７の様に木造の場合は石膏ボード等の裏側にある木材等のネジの効く下地を探しネジを使い固定していた。この方法は下地を探すのに専門的な知識が必要で取り付けたい場所に下地がない場合もあり、さらに取り外した場合のネジ穴も大きく残った。そして木構造意外の構造では更に困難であった。また石膏ボード等の壁に物を取り付ける方法としては図８の様なフック付き斜めピンにより、小さい飾り棚や絵などを吊り下げる方法で取り付けしている。この方法では荷重が大きいとピンに回転力が働き、ピンの角度が変わり、ボード等の壁には、重量のある棚や大きい荷重を支える物の取り付けは不可能であった。
【考案の開示】
【考案が解決しようとする課題】
【０００３】
しかしながら、以上の従来の技術では、取り外し後のネジ穴の補修の問題もあり、下地を探す専門的な技術の問題もあり、重量物を石膏ボード等の壁に取り付けることは難しかった。そこでこの考案は石膏ボード等の壁の裏側にある下地に関係なく、ハンマーだけで取り付けられる、重量物を石膏ボード壁等に固定する取り付け金具を提供することを課題とする。
【課題を解決するための手段】
【０００４】
以上の課題を解決するために、請求項１の考案は、ピンを通す為の下穴のあいた、複数のＬ型の取り付け金具を石膏ボードの壁に固定する重量物の上部壁側にビスにより取り付け、複数の門型の平ピンを斜め下向きに打ち、石膏ボード自体で荷重を負担することで、下地に関係なくどこでも石膏ボード等の壁に重量物が取り付けられることを特徴とする請求項１の重量物を石膏ボード壁等に固定する取り付け金具。
【考案の効果】
【０００５】
以上説明したように、この考案によれば、特に専門的な技術を必要とせず、特殊な工具も使わず、石膏ボード等の壁に大きい荷重を負担させられる。取り外しも簡単であり、取り外し後の壁の傷も小さく目立たない。重量物を石膏ボード等に強力に固定できる。
【考案を実施するための最良の形態】
【０００６】
この考案の一実施形態を、図面に示す実施例に従い説明する。図２は姿図であり、この実施形態の取り付け金具は鉄製である。取り付け金具は、上部に２箇所の平ピン用のガイド穴１０があり、壁側に向く横面にもピンが出る為のガイド穴１０が２箇所あり、上部、横面の両面に適宜ビス穴３があけられていて重量物にビスで止められている。
【０００７】
図１は壁に付けられた重量物にL型の取り付け金具を使った断面図であるが重量物に取り付けられたＬ型金具はガイド穴１０に、その穴を通して、下向き４０度から７０度の角度で、焼きいれされた鋼鉄の門型の平ピン４を打ち込み、壁に重量物を固定している。この実施形態によれば、Ｌ型の取り付け金具にかかる鉛直荷重は上部の門型の平ピンが分散して負担する。ピンには大きな力が働くが、金具はガイド穴１０でピンの角度を保つよう作られている。力学的には重量を負担するピンの部分と実際の重量物の重心の水平距離が小さく重量物の壁に接している部分の上下の距離が十分大きければ平ピン４には、石膏ボードからピンを引き抜く力（曲げモーメント）はほとんどかからず、ピンは垂直荷重のみを負担する。そして上部に取り付けられた斜めの平ピンの働きで重量物を石膏ボードの壁に強固に取り付ける事が出来る。
【０００８】
図３は本棚をこの金具をピンで壁に固定した使用例である。
【産業上の利用可能性】
【０００９】
この考案は重量物を石膏ボード壁等に固定する取り付け金具であるが、部材の形態をかえて円形、楕円、その他の形状の板材でも製作可能である。またピンの角度を保持できればＬ型に限らず上部、横面の部材に分割して作ることも出来、さらに板材等の両面に分割して作ることも出来る。この金具はベニヤ板や木板等を石膏ボード等に強固に固定する為に使えるので下地木材等のない石膏ボードの壁に薄型テレビ台等の取り付け用としても使用可能である。そしてこの実施例は鉄であるが、強度を保つ事が出来れば強化プラスチックやグラスファイバー、ステンレススチール等の他の金属や材料でも製作可能である。また実施形態では門型平ピンを使っているがピンの形状はガイド穴の形と個数を変えることで他のピンの形も製作可能である。
【図面の簡単な説明】
【００１０】
【図１】この考案の一実施形態を示す横断面図である。
【図２】この考案の一実施形態の姿図である。
【図３】この考案の金具を使った本棚の使用例である。
【図４】従来の、壁に物を吊るす場合の斜めピン付フックの使用例である。
【符号の説明】
【００１１】
１  取り付け金具  
２  石膏ボード壁
３  ビス穴
４  鋼鉄製の門型平ピン
５  フック付斜めピン
６  ビス
７  フック付斜めピン
８  小さい飾りだな  
９  取り付け金具と門型平ピンで壁に固定された重量物の本棚
１０  平ピン用ガイド穴
【図１】
0003132092.tif 000003
【図２】
0003132092.tif 000004
【図３】
0003132092.tif 000005
【図４】
0003132092.tif 000006
(57)【要約】【課題】アイラインなどを特別な技術を必要とせず、誰でも簡単にきれいに描くことができる化粧用筆を提供すること。【解決手段】  先端に筆穂が固定された軸部を有する化粧用筆であって、前記筆穂が前記軸部の長手方向に対して所定の角度をなすように前記軸部の先端部が屈曲されているアイラインブラシとする。【選択図】    図１
0003132093.tif 000002
【実用新案登録請求の範囲】
【請求項１】
先端に筆穂が固定された軸部を有する化粧用筆において、前記筆穂が前記軸部の長手方向に対して所定の角度をなすように前記軸部の先端部が屈曲されていることを特徴とする化粧用筆。
【請求項２】
前記化粧用筆がアイラインブラシである請求項１に記載の化粧用筆。
【考案の詳細な説明】
【技術分野】
【０００１】
本考案は化粧用筆に関し、詳しくは、アイライナー塗布用のアイラインブラシなどの化粧用筆に関する。
【背景技術】
【０００２】
アイライナーは主としてペンシルになっているものと、ブラシにより塗布するタイプのものとがあり、ブラシタイプは、ペンシルに比べてアイラインの太さを自在に調整できるという利点がある。
【０００３】
このブラシタイプのアイライナーを使用する場合は、ジェル状、リキッド状、あるいはクリーム状のアイライナーをアイラインブラシの先端の筆穂に含ませて目の縁に沿ってラインを塗布する。
【０００４】
アイラインは目を大きく見せる効果があるが、それを自然に見せるためには、できる限りまぶたのきわに引くことが望ましい。
【０００５】
したがって、アイラインブラシの筆穂はまぶたに対してできる限り垂直になるように、つまり、毛先がまぶたの内側に入り込むような角度になるようにブラシを保持することが好ましい。具体的にはブラシをほぼ水平に持って塗布するということになる。
【考案の開示】
【考案が解決しようとする課題】
【０００６】
ところが、このようにブラシを略水平に持った場合、ブラシを持った手が身体から離れてしまうため、腕が固定されず、アイライナーを塗布する作業が安定しない場合が多い。アイラインを引く作業はは非常に細かい作業であるため、手元が不安定だと均一なラインを引くことが困難となる。したがって、均一なラインを引くためにかなり高度な技術を要求されるため、慣れない人は望むアイラインを描くことができないという問題がある。
【０００７】
そこで、本考案は上記の課題を解決するために、特別な技術を必要とせず、簡単に所望のラインを引くことが可能なアイライブラシなどの化粧用筆を提供することを目的とする。
【課題を解決するための手段】
【０００８】
上記目的を達成するために、本考案によれば、先端に筆穂が固定された軸部を有する化粧用筆において、前記筆穂が前記軸部の長手方向に対して所定の角度をなすように前記軸部の先端部が屈曲されたものが提供される。
【考案の効果】
【０００９】
図１に示すように、化粧用筆の軸部先端を屈曲させて筆穂が軸方向と所定の角度をなすように構成したので、化粧用筆を持った手を身体に引き寄せた状態で、筆穂を塗布領域、例えば、まぶたに対してほぼ垂直に保持することができる。したがって、化粧用筆を描きやすい位置に安定した状態で保持できるため、慣れない人でも特別な技術を必要とせず均一なラインを描くことができる。また、これに加えて、太いライン、細いラインも容易に描くことができる。
【考案を実施するための最良の形態】
【００１０】
以下、本発明を実施するための最良の形態として、アイラインブラシを例にとり図面を参照しながら説明する。
【００１１】
図１はアイラインブラシ１の一例を示し、このアイラインブラシ１は軸部２とこの軸部２の先端に固定された筆穂３から構成される。軸部２は把持部分となる基部２１と、この基部２１の先端に連接される筆穂固定部２２とからなる。
【００１２】
基部２１と筆穂固定部２２とは同一素材で構成しても、異種素材で構成してもよいが、筆穂固定部２２は折曲する工程を勘案すると、アルマイトなどの金属材料が好適である。一方、筆穂３の材料としては、特に限定されるものではないが、例えば、イタチなど一般にメイクブラシの筆穂材料として使用される獣毛、または合成繊維などを使用することができる。
【００１３】
図２は図１のアイラインブラシ１の先端部の拡大図である。筆穂固定部２２の先端は屈曲部２２ａとなる。この屈曲部２２ａと筆穂３とは一直線上にあり、軸部２の長手方向に対して角度θをなしている。この角度θは軸部２の長さ、筆穂３の長さなどに応じて適宜決定されるが、通常、２５〜５０°の範囲とすることが好ましい。
【００１４】
このアイラインブラシ１を使用してアイラインを描く場合、アイライナーを含ませた筆穂３をまぶたのキワに対してできるだけ垂直になるように持つ。このとき、筆穂３が軸部２の長手方向に対して所定の角度をなしているので、その角度に応じた距離の分だけアイラインブラシ１を持った手を身体に引き寄せて保持することが可能となる。その結果、アイラインを引く作業が安定するので、特別な技術を必要とせず、誰でも簡単に所望の太さの均一なアイラインを描くことができる。
【００１５】
なお、アイラインブラシ１に使用できるアイライナーは液状、ジェル状、クリーム状などどのようなタイプのものであってもよい。また、上記実施形態では、筆穂３の形状が先細のものについて説明したが、これに限定されるものではなく、筆穂がフラット状（平筆）のものであってもよい。
【００１６】
さらに、本考案の化粧用筆は、上記のアイラインブラシに限定されるものではなく、アイシャドウブラシ、アイブロウブラシなど主に目元周りのメイクアップに使用されるブラシとして有用である。
【００１７】
さらに、上述した構成からなる本考案の化粧用筆は、特に下まぶたの内側に至るまで、換言すれば、下まつげの奥の方まで筆穂３によりラインを描く際においても好適であることは勿論である。
【図面の簡単な説明】
【００１８】
【図１】本考案の化粧用筆の一例を示すアイラインブラシの側面図である。
【図２】図１のアイラインブラシの先端部の拡大図である。
【符号の説明】
【００１９】
１  アイラインブラシ
２  軸部
３  筆穂
２１  基部
２２  筆穂固定部
２２ａ  屈曲部
【図１】
0003132093.tif 000003
【図２】
0003132093.tif 000004